(57)【要約】      （修正有）【課題】短時間に確実に便座クリーナ液を補充することができる便座クリーナ液供給システムを提供する。【解決手段】便座クリーナ液を収納するためのボトル本体１０ａと、ボトル本体１０ａの出口に設置されたシール１０ｂと、キャップ１０ｃとからなる薬液ボトル１０と、便座クリーナ液を貯蔵するためのタンク本体２０ａと、薬液ボトル１０を保持するためのボトル保持部２０ｂと、タンク本体２０ａの底部に設置された薬液取出部２０ｄとからなる薬液タンク２０と、からなる便座クリーナ液供給システムであって、薬液タンク２０のボトル保持部２０ｂの底部には、薬液パイプ２１とエアーパイプ２２が設置されており、キャップ１０ｃを外した状態の薬液ボトル１０がボトル保持部２０ｂに挿入されることにより、薬液ボトル１０内の便座クリーナ液が薬液タンク２０に貯蔵される。【選択図】図１
2014155687.tif 000002
【特許請求の範囲】
【請求項１】
便座クリーナ液を収納するためのボトル本体と、前記ボトル本体の出口に設置されたシールと、キャップとからなる薬液ボトルと、
便座クリーナ液を貯蔵するためのタンク本体と、前記薬液ボトルを保持するためのボトル保持部と、前記タンク本体の底部に設置された薬液取出部とからなる薬液タンクと、からなる便座クリーナ液供給システムであって、
前記薬液タンクの前記ボトル保持部の底部には、薬液パイプとエアーパイプが設置されており、前記キャップを外した状態の前記薬液ボトルが前記ボトル保持部に挿入されることにより、前記薬液ボトル内の便座クリーナ液が前記薬液タンクに貯蔵されることを特徴とする便座クリーナ液供給システム。
【請求項２】
前記薬液ボトル及び前記薬液タンクと、
前記薬液ボトルが保持され、前記薬液タンクが固定された板状体と、
前記板状体の一端が丁番により連結された開口部を有する筐体と、
前記板状体の下部に回動可能に設置され、前記薬液タンクの前記薬液取出部を押圧する押圧ボタンと、
を有することを特徴とする請求項１記載の便座クリーナ液供給システム。
【請求項３】
便座クリーナ液を収納するためのボトル本体と、前記ボトル本体の出口に設置されたシールと、キャップとからなる薬液ボトルと、
便座クリーナ液を貯蔵するためのタンク本体と、前記タンク本体の底部に設置された薬液取出部とからなる複数の薬液タンクと、
前記薬液ボトルを保持するためのボトル保持部と、
前記ボトル保持部と前記複数の薬液タンクを連結するためのパイプと、からなる便座クリーナ液供給システムであって、
前記ボトル保持部の底部には、薬液パイプとエアーパイプが設置されており、前記キャップを外した状態の前記薬液ボトルが前記ボトル保持部に挿入されることにより、前記薬液ボトル内の便座クリーナ液が前記複数の薬液タンクに貯蔵されることを特徴とする便座クリーナ液供給システム。
【請求項４】
前記薬液ボトルの前記キャップは、頂上部の中央に前記薬液パイプと前記エアーパイプが通過するための穴を有していることを特徴とする請求項１乃至３のいずれか１項に記載の便座クリーナ液供給システム。
【請求項５】
前記薬液ボトルは、前記シールを有さず、前記キャップの頂上部がフィルム状の天面であることを特徴とする請求項１乃至３のいずれか１項に記載の便座クリーナ液供給システム。
【請求項６】
前記薬液ボトルが、ビニール製の袋であり、前記薬液パイプと前記エアーパイプにより突き破られる薄さの底面を有することを特徴とする請求項１乃至３のいずれか１項に記載の便座クリーナ液供給システム。
【請求項７】
前記薬液タンクの前記ボトル保持部の底部に設置された薬液パイプとエアーパイプが、上下方向に移動可能であり、前記ボトル保持部の底部からの薬液パイプとエアーパイプの突出長さを変更することが可能であることを特徴とする請求項１乃至６のいずれか１項に記載の便座クリーナ液供給システム。
【請求項８】
前記薬液タンクの前記ボトル保持部の底部に設置された薬液パイプが、先端部から前記薬液ボトルの前記シールと接する部分までスリットが形成されていることを特徴とする請求項１乃至７のいずれか１項に記載の便座クリーナ液供給システム。
【発明の詳細な説明】
【技術分野】
【０００１】
本発明は、トイレに設置される便座クリーナ液供給システムに関する。
【背景技術】
【０００２】
近年、一般家庭や駅等の洋式トイレにおいて、蓋を開けた状態の便座を清掃するための便座クリーナが常時設置されるようになってきている。これは、トイレの使用者が常に清潔な状態で便座を使用したいという要望を叶えるためのものである。
【０００３】
図５（ａ）に、一般的なトイレブース２００の構成を示す。まず、便座１１０が所定の位置に設置されており、その側方に種々の機器を設置するための枠体７０及び高齢者のための取手８０が配置されている。そして、枠体７０には、ロールペーパ供給部９０、便座クリーナ液供給部５０及び洗浄水押しボタン１００が所定の位置に設置されている。ロールペーパ供給部９０にはロールペーパ９１が収納されており、紙切りカバー９２によりロールペーパ９１がトイレ使用者により切り取られる。便座クリーナ液供給部５０には便座クリーナ液が充填された薬液タンク５５が収納されており、トイレ使用者は便座クリーナ液供給ボタン５２を押すことにより便座クリーナ液を開口部５１に滴下、または噴霧することができる。そして、トイレ使用者は、この滴下された便座クリーナ液を切り取ったロールペーパ９１に含浸させて、自己が使用する便座の座面を清掃することができる。また、トイレ使用者は、便座クリーナ覗き窓５３を見ることによって、便座クリーナ液の残量を確認することができる。そして、便座クリーナ液の残量が少なくなった場合には、図５（ｂ）に示すように収納カバー５４を手前に開けた後、薬液タンク５５のキャップ５５ａを外して便座クリーナ液を随時補充することができる。なお、例えば特許文献１には、除菌便座クリーニングディスペンサーの技術が開示されている。
【先行技術文献】
【特許文献】
【０００４】
【特許文献１】特開２００９−２４７４９５号公報
【発明の概要】
【発明が解決しようとする課題】
【０００５】
しかし、上述した便座クリーナ液供給部５０には次のような課題があった。すなわち、便座クリーナ液の残量を確認するのが面倒であり、たとえ便座クリーナ液が少量となっていることを確認できたとしても、図５（ｂ）のように収納カバー５４を開けて便座クリーナ液を適宜補充することは時間と手間がかかるという課題があった。また、便座クリーナ液を補充する際に、薬液タンク５５から便座クリーナ液が漏れてしまい、便座クリーナ液の一部が無駄になり、かつ薬液タンクの周辺を汚してしまうという課題もあった。
【０００６】
本発明は、上述の課題を解決するためになされたものであり、短時間に確実に便座クリーナ液を補充することができる便座クリーナ液供給システムを提供することを目的とする。
【課題を解決するための手段】
【０００７】
本発明は上述の目的を達成するため、以下の構成を備えるものである。
【０００８】
（１）便座クリーナ液を収納するためのボトル本体と、前記ボトル本体の出口に設置されたシールと、キャップとからなる薬液ボトルと、
便座クリーナ液を貯蔵するためのタンク本体と、前記薬液ボトルを保持するためのボトル保持部と、前記タンク本体の底部に設置された薬液取出部とからなる薬液タンクと、からなる便座クリーナ液供給システムであって、
前記薬液タンクの前記ボトル保持部の底部には、薬液パイプとエアーパイプが設置されており、前記キャップを外した状態の前記薬液ボトルが前記ボトル保持部に挿入されることにより、前記薬液ボトル内の便座クリーナ液が前記薬液タンクに貯蔵されることを特徴とする便座クリーナ液供給システム。
【０００９】
（２）前記薬液ボトル及び前記薬液タンクと、
前記薬液ボトルが保持され、前記薬液タンクが固定された板状体と、
前記板状体の一端が丁番により連結された開口部を有する筐体と、
前記板状体の下部に回動可能に設置され、前記薬液タンクの前記薬液取出部を押圧する押圧ボタンと、
を有することを特徴とする前記（１）記載の便座クリーナ液供給システム。
【００１０】
（３）便座クリーナ液を収納するためのボトル本体と、前記ボトル本体の出口に設置されたシールと、キャップとからなる薬液ボトルと、
便座クリーナ液を貯蔵するためのタンク本体と、前記タンク本体の底部に設置された薬液取出部とからなる複数の薬液タンクと、
前記薬液ボトルを保持するためのボトル保持部と、
前記ボトル保持部と前記複数の薬液タンクを連結するためのパイプと、からなる便座クリーナ液供給システムであって、
前記ボトル保持部の底部には、薬液パイプとエアーパイプが設置されており、前記キャップを外した状態の前記薬液ボトルが前記ボトル保持部に挿入されることにより、前記薬液ボトル内の便座クリーナ液が前記複数の薬液タンクに貯蔵されることを特徴とする便座クリーナ液供給システム。
【００１１】
（４）前記薬液ボトルの前記キャップは、頂上部の中央に前記薬液パイプと前記エアーパイプが通過するための穴を有していることを特徴とする前記（１）乃至（３）のいずれか１項に記載の便座クリーナ液供給システム。
【００１２】
（５）前記薬液ボトルは、前記シールを有さず、前記キャップの頂上部がフィルム状の天面であることを特徴とする前記（１）乃至（３）のいずれか１項に記載の便座クリーナ液供給システム。
【００１３】
（６）前記薬液ボトルが、ビニール製の袋であり、前記薬液パイプと前記エアーパイプにより突き破られる薄さの底面を有することを特徴とする前記（１）乃至（３）のいずれか１項に記載の便座クリーナ液供給システム。
【００１４】
（７）前記薬液タンクの前記ボトル保持部の底部に設置された薬液パイプとエアーパイプが、上下方向に移動可能であり、前記ボトル保持部の底部からの薬液パイプとエアーパイプの突出長さを変更することが可能であることを特徴とする前記（１）乃至（６）のいずれか１項に記載の便座クリーナ液供給システム。
【００１５】
（８）前記薬液タンクの前記ボトル保持部の底部に設置された薬液パイプが、先端部から前記薬液ボトルの前記シールと接する部分までスリットが形成されていることを特徴とする前記（１）乃至（７）のいずれか１項に記載の便座クリーナ液供給システム。
【発明の効果】
【００１６】
本発明によれば、短時間に確実に便座クリーナ液を補充することができる便座クリーナ液容器及びそれを用いたシステムを提供することができる。
【図面の簡単な説明】
【００１７】
【図１】実施例１の薬液ボトル及び薬液タンクを示す図
【図２】実施例１の薬液タンクに薬液ボトルを挿入した状態を示す断面図
【図３】実施例１の便座クリーナ液供給部の構成を示す図
【図４】実施例１の１つの薬液ボトルと２つの薬液タンクからなる構成を示す図
【図５】実施例２の薬液ボトルを示す図
【図６】実施例２のビニール製の袋を示す図
【図７】従来のトイレブースの構成を説明するための図
【発明を実施するための形態】
【００１８】
以下、本発明を実施するための形態を、図面に基づいて詳しく説明する。
【実施例１】
【００１９】
図１（ａ）は、本発明に係る便座クリーナ供給システムの薬液ボトル１０を、図１（ｂ）は薬液タンク２０を示す。薬液ボトル１０は、ボトル本体１０ａ，フィルムシール１０ｂ，キャップ１０ｃから構成されている。薬液ボトル１０は、当初はボトル本体に便座クリーナ液が充填され、フィルムシール１０ｂで密封した後、キャップ１０ｃをかぶせ固定する。一方、薬液タンク２０は、タンク本体２０ａ，ボトル保持部２０ｂ，薬液取出部２０ｄより構成されている。そして、ボトル保持部２０ｂの底部にはパッキン２０ｃが設置され、そのパッキン２０ｃを薬液パイプ２１とエアーパイプ２２が貫通している。この薬液パイプ２１とエアーパイプ２２は、薬液ボトル１０が挿入された場合には、フィルムシール１０ｂを破って貫通しボトル本体１０ａの内部に突出する。薬液パイプ２１は、便座クリーナ液が通るパイプであり、エアーパイプ２２は薬液タンク内の空気を抜くためのパイプである。薬液取出部２０ｄは、従来の薬液タンクと同様の構成を有し、その先端部を押すことによりタンク本体２０ａに充填されている便座クリーナ液を霧状、液滴等の状態で外部に取り出すことができる。
【００２０】
薬液ボトル内の便座クリーナ液が薬液タンクに移動する状態を図２を用いて説明する。図２（ａ）は、薬液ボトル１０内の便座クリーナ液３０が薬液タンク２０内に移動し始めた初期の状態を示す図であり、図２（ｂ）は、薬液ボトル１０内の便座クリーナ液３０が薬液タンク２０内に十分に充填された後の状態を示す図である。図２（ａ）に示したように、便座クリーナ液３０は薬液パイプ２１を経由して薬液タンク２０のタンク本体２０ａに移動し、その際薬液タンク２０のタンク本体内の空気がエアーパイプ２２を経由して薬液ボトル１０に移動する。そして、薬液タンク２０のタンク本体２０ａ内の空気が所定の圧力になった状態で、便座クリーナ液３０の移動が停止する。なお、パッキン２０ｃは液を透過する素材を使用するとよい。これは、薬液ボトル１０から漏れ出た便座クリーナ液３０を薬液タンク２０に移動させるためである。
【００２１】
図２（ｃ）は、薬液パイプ２１の拡大図である。薬液パイプ２１のパッキン２０ｃから突出する長さを変えることで、薬液ボトル１０に便座クリーナ液の残がないようにすることができる。更に、パイプの先端にスリット（溝カット）２１ａを入れることで、落下する液の張力で便座クリーナ液３０の残液を引っ張るので最後の残液量を少なくすることができる。
【００２２】
図３（ａ）は、薬液タンク２０に薬液ボトル１０を挿入し、固定具Ａ  ４１，固定具Ｂ  ４２を用いて固定した状態の便座クリーナ液供給部７５の背面側から見た状態を示す図である。なお、薬液タンク２０は固定具Ａ  ４１によって固定されており簡単には外れないものとする。一方、薬液ボトル１０は、固定具Ｂ  ４２により固定されるものの、図の上側には簡単に移動できるもとする。薬液ボトル１０を交換する場合には、ボード７６を矢印Ａの方向に回転させた後、便座クリーナ液が入っていない薬液ボトル１０を薬液タンク２０から外し、新しい薬液ボトル１０を上方から挿入して交換を完了する。
【００２３】
薬液タンク２０内の便座クリーナ液が少量となった時点で、薬液ボトル１０を取り外し、新たな薬液ボトル１０を挿入するだけで簡単に、短時間に便座クリーナ液３０を補充することができる。従来のように、薬液タンク５５のキャップ５５ａを外しつつ便座クリーナ液を薬液タンク５５に慎重に充填するという手間を省くことができる。図３（ｂ）は、便座クリーナ液供給部７５を正面からみた場合の斜視図である。従来の便座クリーナ液供給部と外観は同一である。
【００２４】
図４は、２つの薬液タンク６３をボトル保持具６０にパイプ６２と連結具６１を用いて連結した構成を示す図である。薬液ボトル１０は上述の例と同様にボトル保持具６０に着脱される。この構成によれば、２つのトイレブースの便座クリーナ液供給部の各薬液タンク６３に、便座クリーナ液を同時に１つの薬液ボトル１０で供給することができるため、ボトル保持具６０が１つで済むという利点がある。
【００２５】
以上、本実施例によれば、短時間に確実に便座クリーナ液を補充することができる便座クリーナ液供給システムを提供することができる。
【実施例２】
【００２６】
本実施例の薬液ボトル１１，１２を図５に、ビニール製の袋１３を図６に示す。
【００２７】
図５（ａ）に示した薬液ボトル１１は、キャップ１０ｄに特徴がある。ボトル本体１０ａとフィルムシール１０ｂは実施例１の薬液ボトル１０と同一のものである。キャップ１０ｄは、その頂上部の中央に穴を有している。従って、薬液ボトル１１はキャップ１０ｄを外すことなく、薬液タンク２０に装着することができるため、薬液ボトル１１の交換時の作業を簡便に行うことができる。
【００２８】
図５（ｂ）に示した薬液ボトル１２は、フィルムシールを有しておらず、キャップ１０ｆの頂上部がフィルム状の天面であるものとする。このフィルム状の天面は、薬液パイプ２１とエアーパイプ２２により突き破られる程度の薄さを有しているものとする。その結果、ボトル本体１０ａにキャップ１０ｆを締めたまま薬液タンク２０に装着することができるため、薬液ボトル１２の交換時の作業を簡便に行うことができる。更にフィルムシートが不要であるのでコストダウンにも寄与する。
【００２９】
図６に示したビニール製の袋は、図のように薄い底面を有している。すなわち、ボトルではなくそのまま薬液タンクに装着するだけで、薄い底面が薬液パイプ２１とエアーパイプ２２により破られて薬液を薬液タンク２０に供給することができる。
【００３０】
本実施例によれば、短時間に確実に便座クリーナ液を補充することができる便座クリーナ液供給システムを提供することができる。
【符号の説明】
【００３１】
１０    薬液ボトル
１０ａ  ボトル本体
１０ｂ  フィルムシール
１０ｃ，１０ｄ，１０ｆ  キャップ
１１，１２  薬液ボトル
１３    ビニール製の袋
２０    薬液タンク
２０ａ  タンク本体
２０ｂ  ボトル保持部
２０ｃ  パッキン
２０ｄ  薬液取出部
２１    薬液パイプ
２１ａ  スリット
２２    エアーパイプ
３０    便座クリーナ液
４１    固定具Ａ
４２    固定具Ｂ
４４    丁番
５０    従来の便座クリーナ液供給部
５１    開口部
５２    便座クリーナ液供給ボタン
５３    便座クリーナ液覗き窓
５４    収納カバー
５５    薬液タンク
５５ａ  キャップ
６０    ボトル保持具
６１    連結具
６２    パイプ
６３    薬液タンク
７０    枠体
７５    実施例の便座クリーナ液供給部
７６    ボード
８０    取手
９０    ロールペーパ供給部
９１    ロールペーパ
９２    紙切りカバー
１００  洗浄水用押しボタン
１１０  便座
２００  トイレブース
【図１】
2014155687.tif 000003
【図２】
2014155687.tif 000004
【図３】
2014155687.tif 000005
【図４】
2014155687.tif 000006
【図５】
2014155687.tif 000007
【図６】
2014155687.tif 000008
【図７】
2014155687.tif 000009